【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
遊技領域に設けられた第１始動口及び第２始動口と、
開閉可能で入球することが可能な大入賞口と、
前記第１始動口及び前記第２始動口に遊技球が入球したことに起因して抽出された乱数値によって前記大入賞口を開放させる遊技状態を発生させるか否かを判定する当否判定手段と、
前記当否判定の結果を予め決定された変動時間後に表示するための前記第１始動口に対応する第１特別図柄と、前記当否判定の結果を予め決定された変動時間後に表示するための前記第２始動口に対応する第２特別図柄とを備えた弾球遊技機であって、
前記第１特別図柄及び前記第２特別図柄が同時に変動可能な構成であり、
前記第１特別図柄及び前記第２特別図柄のうち、一方の特別図柄で前記大入賞口を開放させることを示す図柄で確定表示されると、変動中の他方の特別図柄を前記予め決定された変動時間に達する前に、大入賞口を開放させないことを示す図柄で確定表示させる変動制御手段と、
確定表示された前記大入賞口を開放させることを示す図柄に対応する前記大入賞口を開放させる遊技を実行する大当り遊技実行手段と、
前記大入賞口を開放させる遊技中に行われる遊技演出を実行する大当り遊技演出実行手段を備えた弾球遊技機において、
遊技者が操作可能な操作手段と、
遊技者による該操作手段の操作に起因して、変動中の前記第１特別図柄及び前記第２特別図柄を前記予め決定された変動時間に達する前に前記大入賞口を開放させるか否かの判定結果を示す図柄で確定表示させる第１変動短縮制御手段と、
遊技者による前記操作手段の操作に起因して、変動中の前記第１特別図柄及び前記第２特別図柄のうち、一方の特別図柄のみを前記予め決定された変動時間に達する前に前記大入賞口を開放させるか否かの判定結果を示す図柄で確定表示させ、他方の特別図柄は前記予め決定された変動時間に達する前に前記大入賞口を開放させるか否かの判定結果とは異なる結果を示す図柄で確定表示させる第２変動短縮制御手段と、
変動中の前記第１特別図柄及び前記第２特別図柄を該第２変動短縮制御手段によって、前記予め決定された変動時間に達する前に前記大入賞口を開放させるか否かの判定結果を示す図柄で確定表示させる一方の特別図柄を決定する確定特別図柄決定手段と
を備え、
変動中の前記第１特別図柄及び前記第２特別図柄の前記大入賞口を開放させるか否かの判定結果が、双方とも前記大入賞口を開放させない判定であった場合又は何れか片方が前記大入賞口を開放させる判定であった場合に、前記操作手段の操作がされると前記第１変動短縮制御手段が作動し、
前記第１特別図柄及び前記第２特別図柄とも前記大入賞口を開放させる判定であった場合に、遊技者による前記操作手段の操作がされると前記第２変動短縮制御手段が作動するようにしたことを特徴とする弾球遊技機。
【請求項２】
前記確定特別図柄決定手段は、前記第１特別図柄及び前記第２特別図柄のうち、常に一方の特別図柄を確定表示させるように決定する構成とし、
変動中の前記第１特別図柄及び前記第２特別図柄ともに前記大入賞口を開放させるとの判定であった場合に、確定表示される前に双方の特別図柄に対応する前記大入賞口を開放させる遊技の種類を示唆する大当り内容示唆手段とを備えたことを特徴とする請求項１に記載の弾球遊技機。
【請求項３】
前記大当り遊技演出実行手段によって、前記第１特別図柄及び前記第２特別図柄のうち、前記第２変動短縮制御手段により確定表示された前記大入賞口を開放させることを示す図柄に対応する前記大入賞口を開放させる遊技中に行われる遊技演出は、
前記大当り遊技演出実行手段によって、前記第１特別図柄及び前記第２特別図柄のうち、前記変動制御手段によって変動中の他方の特別図柄を前記予め決定された変動時間に達する前に、大入賞口を開放させないことを示す特別図柄で確定表示された場合に実行される一方の特別図柄に対応する大入賞口を開放させる遊技中に行われる遊技演出及び前記第１変動短縮制御手段によって、確定表示された前記大入賞口を開放させることを示す図柄に対応する前記大入賞口を開放させる遊技中に行われる遊技演出と異なるようにしたことを特徴とする請求項１又は請求項２に記載の弾球遊技機。
【手続補正２】
【補正対象書類名】明細書
【補正対象項目名】００１０
【補正方法】変更
【補正の内容】
【００１０】
上記課題を解決するためになされた本発明の請求項１の弾球遊技機は、遊技領域に設けられた第１始動口及び第２始動口と、開閉可能で入球することが可能な大入賞口と、前記第１始動口及び前記第２始動口に遊技球が入球したことに起因して抽出された乱数値によって前記大入賞口を開放させる遊技状態を発生させるか否かを判定する当否判定手段と、前記当否判定の結果を予め決定された変動時間後に表示するための前記第１始動口に対応する第１特別図柄と、前記当否判定の結果を予め決定された変動時間後に表示するための前記第２始動口に対応する第２特別図柄とを備えた弾球遊技機であって、前記第１特別図柄及び前記第２特別図柄が同時に変動可能な構成であり、前記第１特別図柄及び前記第２特別図柄のうち、一方の特別図柄で前記大入賞口を開放させることを示す図柄で確定表示されると、変動中の他方の特別図柄を前記予め決定された変動時間に達する前に、大入賞口を開放させないことを示す図柄で確定表示させる変動制御手段と、確定表示された前記大入賞口を開放させることを示す図柄に対応する前記大入賞口を開放させる遊技を実行する大当り遊技実行手段と、前記大入賞口を開放させる遊技中に行われる遊技演出を実行する大当り遊技演出実行手段を備えた弾球遊技機において、遊技者が操作可能な操作手段と、遊技者による該操作手段の操作に起因して、変動中の前記第１特別図柄及び前記第２特別図柄を前記予め決定された変動時間に達する前に前記大入賞口を開放させるか否かの判定結果を示す図柄で確定表示させる第１変動短縮制御手段と、遊技者による前記操作手段の操作に起因して、変動中の前記第１特別図柄及び前記第２特別図柄のうち、一方の特別図柄のみを前記予め決定された変動時間に達する前に前記大入賞口を開放させるか否かの判定結果を示す図柄で確定表示させ、他方の特別図柄は前記予め決定された変動時間に達する前に前記大入賞口を開放させるか否かの判定結果とは異なる結果を示す図柄で確定表示させる第２変動短縮制御手段と、変動中の前記第１特別図柄及び前記第２特別図柄を該第２変動短縮制御手段によって、前記予め決定された変動時間に達する前に前記大入賞口を開放させるか否かの判定結果を示す図柄で確定表示させる一方の特別図柄を決定する確定特別図柄決定手段とを備え、変動中の前記第１特別図柄及び前記第２特別図柄の前記大入賞口を開放させるか否かの判定結果が、双方とも前記大入賞口を開放させない判定であった場合又は何れか片方が前記大入賞口を開放させる判定であった場合に、前記操作手段の操作がされると前記第１変動短縮制御手段が作動し、前記第１特別図柄及び前記第２特別図柄とも前記大入賞口を開放させる判定であった場合に、遊技者による前記操作手段の操作がされると前記第２変動短縮制御手段が作動するようにしたことを特徴とする。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】変更
【補正の内容】
【００１９】
請求項３に記載の本発明は、請求項１又は請求項２に記載の弾球遊技機において、前記大当り遊技演出実行手段によって、前記第１特別図柄及び前記第２特別図柄のうち、前記第２変動短縮制御手段により確定表示された前記大入賞口を開放させることを示す図柄に対応する前記大入賞口を開放させる遊技中に行われる遊技演出は、前記大当り遊技演出実行手段によって、前記第１特別図柄及び前記第２特別図柄のうち、前記変動制御手段によって変動中の他方の特別図柄を前記予め決定された変動時間に達する前に、大入賞口を開放させないことを示す特別図柄で確定表示された場合に実行される一方の特別図柄に対応する大入賞口を開放させる遊技中に行われる遊技演出及び前記第１変動短縮制御手段によって、確定表示された前記大入賞口を開放させることを示す図柄に対応する前記大入賞口を開放させる遊技中に行われる遊技演出と異なるようにしたことを特徴とする。
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】変更
【補正の内容】
【００２５】
請求項３に記載の弾球遊技機によれば、大当り遊技演出実行手段によって第１特別図柄及び第２特別図柄のうち、第２変動短縮制御手段により確定表示された大入賞口を開放させることを示す図柄に対応する大入賞口を開放させる遊技中に行われる遊技演出と、第１特別図柄及び第２特別図柄のうち、変動制御手段によって変動中の他方の特別図柄を前記予め決定された変動時間に達する前に、大入賞口を開放させないことを示す特別図柄で確定表示された場合に実行される一方の特別図柄に対応する大入賞口を開放させる遊技中に行われる遊技演出及び第１変動短縮制御手段によって、確定表示された大入賞口を開放させることを示す図柄に対応する前記大入賞口を開放させる遊技中に行われる遊技演出は異なる大入賞口を開放させる遊技中に行われる遊技演出であるため、遊技者は、多様な大入賞口を開放させる遊技中に行われる遊技演出を楽しむことが可能となる。
また、第１特別図柄及び第２特別図柄のうち、変動制御手段によって変動中の他方の特別図柄を前記予め決定された変動時間に達する前に、大入賞口を開放させないことを示す特別図柄で確定表示された場合に実行される一方の特別図柄に対応する大入賞口を開放させる遊技中に行われる遊技演出及び第１変動短縮制御手段によって、確定表示された大入賞口を開放させることを示す図柄に対応する前記大入賞口を開放させる遊技中に行われる遊技演出を楽しみつつ、第２変動短縮制御手段により確定表示された大入賞口を開放させることを示す図柄に対応する大入賞口を開放させる遊技中に行われる遊技演出を第２変動短縮制御手段により確定表示された大入賞口を開放させることを示す図柄に対応する大入賞口を開放させる遊技の代わりとして楽しむことができるため、遊技者の興趣を高めることができる。